(57)【特許請求の範囲】
【請求項１】
前面を開口した照明器具本体の内部に反射鏡を支持し、また同反射鏡の焦点位置に光源を装着し、さらに照明器具本体の外側壁に角度を調整し得る支持腕を配置してなる照明器具の角度設定機構において、
前記、反射鏡は照明器具本体の外部より照射角度を可変し得るように角度調整自在に構成し、また反射鏡の前端開口部に、レーザポインターを着脱自在に配置し、
照明器具の大方の角度は、照明器具本体の外側壁の支持腕で調整支持し、かかる後反射鏡の前端開口部のレーザポインターで反射鏡の角度を微調整し得るように構成したことを特徴とする照明器具の角度調整機構。
【請求項２】
反射鏡は、反射鏡の両端に設けてなる角度調整により、±５度範囲で可変し得るように構成したことを特徴とする請求項１記載の照明器具の角度調整機構。
【発明の詳細な説明】
【０００１】
【発明の属する技術分野】
本発明は自動車道のトンネル内壁に支持する照明器具の角度設定機構の改良に関する。
【０００２】
【従来の技術】
従来、野球場、屋内アリーナ、オートレース場等で使用する照明器具は、所定の輝度値で照明されていることが、競技者がグレアーを感じることなく安全にプレーする上で重要となるので、従来は例えば照明器具の前端部にレーザー付き照準器を着脱自在に取付け、レーザー光をレーザー付き照準器に合わせることにより、照明器具を所定の角度に設定することが実施されている(特開平１０−１０６３０９)。
ところで、自動車道のトンネルの高さは通常７メートル程度であるので、トンネル内壁面に照明器具を取り付けるには、照明器具本体の外側壁に支持してなる支持腕をトンネルの内壁に高さ５メートル程度の箇所に固定することにより行なわれている。また照明器具の角度の調整は、作業者が支持腕に対して照明器具の角度を可変することにより行なっている。
【０００３】
【発明が解決しようとする課題】
しかし、照明器具を支持するトンネルの内壁面の曲面は一様でなく、照明器具の取付面に若干の差が生じる。この取付面に照明器具を取付けて光源を点灯すると、各照明器具で照射方向に差が生じ、設計通りの輝度値が得られない欠点がある。
【０００４】
本発明は上記の点に鑑み発明したものであって、トンネル内において、全体的に設計通りの輝度値を得ることができる照明器具の角度設定機構を提供することを目的とする。
【０００５】
【課題を解決するための手段】
本発明は上記課題を解決するために次の構成とする。請求項１に記載の発明は、前面を開口した照明器具本体の内部に反射鏡を支持し、また同反射鏡の焦点位置に光源を装着し、さらに照明器具本体の外側壁に角度を調整し得る支持腕を配置してなる照明器具の角度設定機構に関する。
また前記、反射鏡は照明器具本体の外部より照射角度を可変し得るように角度調整自在に構成し、また反射鏡の前端開口部に、レーザポインターを着脱自在に配置してある。
そして照明器具の大方の角度は、照明器具本体の外側壁の支持腕で調整支持し、かかる後反射鏡の前端開口部のレーザポインターで反射鏡の角度を微調整し得るように構成したことを特徴とする照明器具の角度調整機構。
【０００６】
請求項２に記載の発明は、請求項１に記載の発明において、反射鏡の両端に設けてなる角度調整具により、±５度の範囲で可変し得るように構成してある。
【０００７】
上記した請求項１と、請求項２に記載の発明によると、照明器具の大方の角度は、照明器具本体の外側壁の支持腕で調整支持し、かかる後反射鏡の前端開口部のレーザポインターで反射鏡の角度を微調整して、各照明器具における照射方向を一様にし、トンネル内において、全体的に設計通りの輝度値を得ることができる。
【０００８】
【発明の実施の形態】
以下本発明を図１乃至図４について説明する。図１乃至図４において、１は前面を開口した照明器具本体、２は照明器具本体１の前面開口部に開閉自在に支持してなる前枠、３は前枠に支持してなる前面ガラス、４は照明器具本体１の内部に照射角度を可変し得るように装着してなる反射鏡であって、前面を開口し、また前端に鍔部５を有して構成してある。６は反射鏡４の焦点位置に装着してなる光源であって、例えば１１０ワットの高圧ナトリウムランプを用いて構成してある。
【０００９】
１０は照明器具本体１の外側壁に角度を調整し得るように支持してなる支持腕であって、照明器具本体１の外壁に固定する固定腕１１と、固定腕１１に対してヒンジ１２を介して角度を調整し、長さを調整することができ、トンネル内の壁面に固定する上下２本の固定片１３にて構成してある。
１４は照明器具本体１の一端内部に配置してなるソケット、１５は反射鏡４の一端に配置してなる反射板回転腕である。１６は反射板回転腕１５の外端に配置してなる反射鏡４の角度を調整するための摘みである。１７は反射鏡４の他端に配置してなる反射鏡４の角度を調整するための摘みである。
同摘み１６と、１７により、反射鏡を±５度の範囲で可変し得るように構成してある。±５度の範囲で可変するように構成すると、トンネル照明における照明器具の取付高さと光軸位置の関連から、設計値を容易に満たすように構成することができる。
【００１０】
２０は反射鏡の前端開口部に、着脱自在に配置してなるレーザポインター、２１はレーザポインター２０を取付けるための支持腕であって、反射鏡４の前端の鍔部５に掛合し得るように構成してある。
【００１１】
次に、照明器具のトンネル内壁面への取付けと、照明器具の角度調整と反射鏡の角度の微調整について説明する。
▲１▼例えばトンネル内は４車線で、道路幅９．５メートルで、トンネルの高さ６．９メートルのトンネル内壁に、高さ４．８メートルの箇所に照明器具を７．３メートルの間隔で配置する。
▲２▼この場合、照明器具の大方の角度は、上記した照明器具本体１の外側壁の支持腕１０で調整支持する。
▲３▼かかる後、反射鏡４の前端開口部に配置したレーザポインター２０から発するレーザ光により反射鏡４の角度を微調整し、照射方向を設定する。この場合トンネル内のレーザ光の先端照射位置を一定とすることにより、各照明器具の照射角度を設計通りに設定することができ、トンネル内において、全体的に平均化した輝度値を得ることができる。
▲４▼反射鏡の角度を微調整した後、レーザポインター２０は反射鏡４から取外し、前面ガラス３を閉じて作業を終了する。
【００１２】
【発明の効果】
上記した請求項１と、請求項２に記載の発明によると、照明器具の大方の角度は、照明器具本体の外側壁の支持腕で調整支持した後、反射鏡の前端開口部のレーザポインターで反射鏡の角度を微調整し、各照明器具の照射角度を設計通りに設定することができ、例えばトンネル内において、全体的に平均化した輝度値を得ることができる。
【図面の簡単な説明】
【図１】本発明に係る照明器具の角度調整機構を示す正面図。
【図２】本発明に係る照明器具の角度調整機構を示す側面図。
【図３】本発明に係る照明器具の角度調整機構を示す外観側面図。
【図４】本発明に係る照明器具の角度調整機構を示す水平面図。
【符号の説明】
１  照明器具本体
２  前枠
３  前面ガラス
４  反射鏡
６  光源
１０  支持腕
１１  固定腕
１２  ヒンジ
１３  固定片
１４  ソケット
１５  反射板回転腕
１６  摘み
１７  摘み
２０  レーザポインター
２１  支持腕
【図１】
0004431751.tif 000002
【図２】
0004431751.tif 000003
【図３】
0004431751.tif 000004
【図４】
0004431751.tif 000005